(57)【要約】【課題】  台紙シートと、張合わせシートを互いに貼り合わせて形成されるガスケットにおいて、ガスケット完成品形状の台紙シートと、該完成品形状を複数のガスケット部片とした張合わせシートとを同一のガスケット基材から形抜きし、しかも張合わせシートのガスケット部片の形抜きは、台紙シートの形抜き端材部分においてなされるようにして、該基材の歩留まりを向上させる。【解決手段】  ガスケット完成品形状の台紙シート１１と、該完成品形状を複数の部片１２ａないし１２ｆとした張合わせシート１２とを同一のガスケット基材であるシート状板材Ｓから形抜きして、これらシート１１と１２を互いに貼り合わせしてガスケット１を形成する。台紙シート１１の形抜きと張合わせシート１２の複数部片１２ａないし１２ｆの形抜きは、台紙シート１１の形抜きの残り部分である端材部分における張合わせシート１２の形抜きにより行われ、これによりガスケット基材であるシート状板材Ｓの歩留まりを向上させることができる。【選択図】      図５
2006161986.tif 000002
【特許請求の範囲】
【請求項１】
ガスケット用基材である板材から形抜きされた台紙シートと、ガスケット用基材である板材から形抜きされ前記台紙シートに貼り合わされる張合わせシートとからなるガスケットであって、前記台紙シートは、ガスケットの完成品形状として形抜きされたシートとされ、前記張合わせシートは、前記台紙シートのガスケット完成品形状に対応する複数の分割片からなる複数ガスケット部片として前記板材から形抜きされ互いに組合わされ貼り合わせされていることを特徴とするガスケット。
【請求項２】
前記板材から形抜きされる張合わせシートの複数ガスケット部片は、該板材における台紙シートの形抜き周囲の端材部分から該台紙シートと一体に打ち抜き形成されることを特徴とする請求項１に記載のガスケット。
【請求項３】
前記板材は、その一方の面が貼り合わせ接合に供される糊面状態に処理されており、前記張合わせシートの複数ガスケット部片の前記板材からの形抜きは、裏面形状とされた前記台紙シートのガスケット完成品形状の複数仮設定区画に対応する前記複数ガスケット部片として前記台紙シートと共に打ち抜くことでなされていることを特徴とする請求項２に記載のガスケット。
【請求項４】
前記板材は、その一方の面が糊付きシートとされることを特徴とする請求項３に記載のガスケット。
【発明の詳細な説明】
【技術分野】
【０００１】
本発明は、シリンダブロックやオイルパン等の密封シール接合面において使用されるガスケットに関する。
【背景技術】
【０００２】
完成品とされるべきガスケット形状の複数仮設定区画に対応した分割部片として、基材であるシート状板材から形抜きされたガスケット部片を互いに組合わせて、前記完成品とされる形状の分割型ガスケットを形成することは従来から知られており、また、リング状等の形状の歩留まりの悪いガスケットを形抜きした後のガスケット用基材であるシート状板材の端材部分を利用して複数のガスケット部片を形抜きし、これら形抜きされたガスケット部片を互いに組合せて比較的大きな分割型ガスケットを形成し、ガスケット用基材であるシート状板材の歩留まりを向上させるようにしたものも従来から知られている（例えば、特許文献１および２参照）。
【特許文献１】特開平７−１１００７０号公報（第３頁、第７図）
【特許文献２】特開２００１−２８０５００号公報（第３頁、第３図）
【発明の開示】
【発明が解決しようとする課題】
【０００３】
前記特許文献１および２に記載のガスケットは、リング状等の完成品とされるべきガスケットを複数の仮設定区画として仕切り、該仮設定区画のそれぞれに対応する形状のガスケット部片をガスケット用基材であるシート状板材から形抜して、これら形抜きされたガスケット部片を互いに組合せて形成した前記リング状等の分割型ガスケットである。
そして、この分割型ガスケットの各部片の形抜き用基材であるシート状板材は、完成品とされるべきガスケットの厚みを有するシート状板材が使用されている。
【０００４】
また、前記特許文献には、リング状等形状の歩留まりの悪いガスケットを形抜きした後のガスケット用基材であるシート状板材の端材部分を利用して複数のガスケット部片を形抜きし、これら形抜きされた複数のガスケット部片を互いに組合せて分割型ガスケットを形成することで、ガスケット用基材であるシート状板材の歩留まりの向上を図る記載もなされている。
【０００５】
リング状等歩留まりの悪いガスケットの形抜きにおける基材であるシート状板材の端材の有効利用による歩留まりの向上およびこれと併行したガスケット用基材であるシート状板材におけるガスケット部片の形抜き領分の有効な配分設定の選択により端材部分の縮減という課題がある。
【０００６】
また、ガスケット部片の形抜きにおける厚さのあるガスケット用基材であるシート状板材の使用は、ガスケット部片の形抜き領分の配分設定における端材部分の増大が基材の量的（容積、重量的）な面でその厚さに比例して拡大させるものであるから、ガスケット用基材であるシート状板材の歩留まりの改善に関しては該基材である板材の厚みに注目した工夫が必要とされる。
【０００７】
このような状況の中で、ガスケット用基材であるシート状板材におけるガスケット部片の形抜き領分の適切な配分設定と、該基材である前記シート状板材の厚みに視点をおいた格別の対策と工夫を施すことで、ガスケット基材であるシート状板材の有効利用がなされ、該基材である前記シート状板材の歩留まりの向上を図る。
【課題を解決するための手段】
【０００８】
本発明は、上述した課題を解決するためのガスケットの提供に関するものであり、ガスケット用基材である板材から形抜きされた台紙シートと、ガスケット用基材である板材から形抜きされ前記台紙シートに貼り合わされる張合わせシートとからなるガスケットであって、前記台紙シートは、ガスケットの完成品形状として形抜きされたシートとされ、前記張合わせシートは、前記台紙シートのガスケット完成品形状に対応する複数の分割片からなる複数ガスケット部片として前記板材から形抜きされ互いに組合され貼り合わせされていることを特徴とする。
【０００９】
また、前記板材から形抜きされる張合わせシートの複数ガスケット部片は、該板材における台紙シートの形抜き周囲の端材部分から該台紙シートと一体に打ち抜き形成されることを特徴とする。
さらに、前記板材は、その一方の面が貼り合わせ接合に供される糊面状態に処理されており、前記張合わせシートの複数ガスケット部片の前記板材からの形抜きは、裏面形状とされた前記台紙シートのガスケット完成品形状の複数仮設定区画に対応する前記複数ガスケット部片として前記台紙シートと共に打ち抜くことでなされていることを特徴とする。
また、前記板材は、その一方の面が糊付きシートとされることを特徴とする。
【発明の効果】
【００１０】
本発明の請求項１に係る発明は、前記ガスケットにおいて、前記台紙シートは、ガスケットの完成品形状として形抜きされたシートとされ、前記張合わせシートは、前記台紙シートのガスケット完成品形状に対応する複数分割片からなる複数ガスケット部片として前記板材から形抜きされ互いに組合わされ貼り合わせされている。したがって、ガスケットが形抜きされた残りの台紙シートは本来の整合状態の板厚に対して薄い板材とされる分だけ端材の量を低減することができガスケット製造におけるコストの削減が可能となる。
【００１１】
本発明の請求項２に係る発明は、請求項１に記載の発明において、前記板材から形抜きされる張合わせシートの複数ガスケット部片は、該板材における台紙シートの形抜き周囲の端材部分から該台紙シートと一体に打ち抜き形成されるから、台紙シートの形抜きと張合わせシートの形抜きが一枚の同一の板材からなされており、しかも台紙シートであるガスケット完成品形状の形抜きがなされる板材の端材部分において張合わせシートの複数ガスケット部片が形抜きされるから、該板材の端材部分が有効に利用されて、ガスケット用基材である板材の歩留まりが向上されてガスケット廃材が削減され、ガスケットのコスト削減を図ることができる。
【００１２】
本発明の請求項３に係る発明は、請求項２に記載の発明において、前記板材は、その一方の面が貼り合わせ接合に供される糊面状態に処理されており、前記張合わせシートの複数ガスケット部片の前記板材からの形抜きは、裏面形状とされた前記台紙シートのガスケット完成品形状の複数仮設定区画に対応する前記複数ガスケット部片として前記台紙シートと共に打ち抜くことでなされているから、糊面同士の張合わせにより得られるガスケットは、その張り合わせの作業性が良いので製造が容易であり、糊付けにおける面倒な作業等糊付け接合における種々の影響を排除することができ、また糊のはみ出し等がなくガスケットの外観性が向上される。
【００１３】
本発明の請求項４に係る発明は、請求項３に記載の発明において、前記板材は、その一方の面が糊付きシートとされるから、糊付け作業が不要となるので、貼り合わせのための作業性が向上し、ガスケットの外観性の向上が図られる。
【発明を実施するための最良の形態】
【００１４】
図１ないし図６に基づいて本発明の実施態様１を説明する。
図１には、本発明の実施態様１において一例とされるガスケット１の平面視における全体形状が図示され、このガスケット１は、その外形形状を形成する外環部１ｏと、内形形状を形成する内環部１ｉとからなる所定幅の環状帯状体であり、ガスケット用基材である均一で所定厚のシート状板材Ｓ（図６参照）から打抜型により形抜きされた後述の複数ガスケット部片から形成されている。
なお、ガスケット１の形状については勿論図示の環状帯状体に限定されるものではなく、便宜上平面視前記環状帯状体であるガスケット１を本発明の実施態様の一例として例示し説明するものである。
【００１５】
図１の図示において平面視で環状帯状体をなすガスケット１は、さらに図２の参照により明らかなように、２層の積層構造とされており、ガスケット１の２層の積層構造は、台紙となるシート１１と、該台紙シート１１上に貼り合わせされる張合わせシート１２とからなる。
【００１６】
台紙シート１１は、図３に図示されるように、ガスケット１の完成品の形状、すなわち便宜上その平面視で、図１に図示される継ぎ目のない一体形成の外環部１Ａと内環部１Ｂとからなる所定幅の環状帯状体とされたガスケット形状として、ガスケット用基材であるシート状板材Ｓから打ち抜かれて形成されている。
【００１７】
また、張合わせシート１２は、図５に図示される台紙シート１１の点線表示の複数区画１１ａないし１１ｆに対応する形状の複数ガスケット部片１２ａないし１２ｆとして形抜きされた各部片から形成され、すなわち、ガスケット完成品形状である環状帯状体の点線表示の複数仮設定区画１１ａないし１１ｆの形状に対応する形状のガスケット部片１２ａないし１２ｆとしてガスケット用基材であるシート状板材Ｓから形抜きされた各部片が、互いに該ガスケット１の完成品形状とされた台紙シート１１上で該完成品形状に沿い貼り合わされて、図４に図示されるように組合わされ、シート１２として形成されている。
【００１８】
ここで注目すべきは、ガスケット用基材であるシート状板材Ｓから形抜きされる張合わせシート１２の複数ガスケット部片１２ａないし１２ｆは、後述される糊面を対向させた台紙シート１１への貼り合わせのために該貼り合わせ時に裏返しされることから、図５に図示されるように完成品形状のガスケットの各仮設定区画１１ａないし１１ｆに対して線対称の形状、つまり裏返しとなる形状の形抜き部片とされており、また、該図５から明らかなようにガスケット１の完成品形状とされる台紙シート１１の形抜きと、張合わせシート１２の前記ガスケット部片１２ａないし１２ｆの形抜きは、後述されるところでもあるが一枚の同一のガスケット用基材であるシート状板材Ｓから形抜きされるものである。
【００１９】
張合わせシート１２の各形抜き部片であるガスケット部片１２ａないし１２ｆは、その裏返し平面視の形状が、台紙シート１１のガスケット１の完成品形状、すなわち環状帯状体とされるガスケット形状のそれぞれの対応仮設定区画と所謂「合同」とされる形状であり、また、この張合わせシート１２の各ガスケット部片１２ａないし１２ｆの厚さは、同一の均一厚みのガスケット用基材であるシート状板材Ｓから形抜きされることから、台紙シート１１と同じ厚さであり、結局、ガスケット１は、図２に図示されるように、台紙シート１１と、該台紙シート１１上で各ガスケット部片１２ａないし１２ｆが貼り付け組合わせされる張合わせシート１２との２枚の同じ厚さのシートからなる実質２層構造とされたガスケット１である。
【００２０】
台紙シート１１と、複数の形抜き部片であるガスケット部片１２ａないし１２ｆの組合わせからなる張合わせシート１２の貼り合わせは、糊面接合でなされるが、このためにガスケット用基材であるシート状板材Ｓの一方の面Ｓ１には、図６に図示されるように糊付け処理された糊面Ｓ２が形成され、ガスケット１の完成品形状である台紙シート１１の仮設定区画１１ａないし１１ｆへの張合わせシート１２の各ガスケット部片１２ａないし１２ｆの貼り合わせは、張合わせシート１２の各部片１２ａないし１２ｆの裏返しによる互いに「合同」とされる対応設定区画１１ａないし１１ｆとの互いの糊面Ｓ２を対向させた接合とされるものである。
【００２１】
実質的に台紙シート１１と、張合わせシート１２の２枚のシートの貼り合わせからなるガスケット１は、ガスケット用基材であるシート状板材Ｓからの形抜きによるシート２枚の貼り合わせ構造であるから、通常のガスケット１の形抜きに用いられるガスケット用基材であるシート状板材Ｓの使用では、その厚みが通常ガスケット１の倍の厚みになることから、薄めのガスケット用基材が使用され、この基材は、好ましくは通常のシート状板材の半分の厚さのシート状板材Ｓが使用される。
【００２２】
通常のガスケット用基材の半分の厚さとされる薄めのシート状板材Ｓとしては、軟質材のシート状板材Ｓが用いられ、本実施態様においては前記一例とされるガスケット１、すなわち、図１に図示される平面視で環状帯状体であるガスケット１の形抜きが前提とされるから、図５に図示されるように環状帯状体のガスケット１がその内部に収まる矩形状の外形形状をなす均一の厚さのシート状板材Ｓが用いられ、このシート状板材Ｓの一方の面Ｓ１には既述のように糊面Ｓ２が形成されている。なお、糊面Ｓ２は糊付きシートとすることもできる。
【００２３】
ここで、図５を参照して、ガスケット用基材であるシート状板材Ｓにおける台紙シート１１と張合わせシート１２の各ガスケット部片１２ａないし１２ｆの形抜きについて、説明を加えておくことにする。
【００２４】
シート状板材Ｓは、該板材Ｓから環状帯状体であるガスケット完成品形状として形抜きされる台紙シート１１の外環部１１ｏの形状に照らして選択され、図５に図示されるように、台紙シート１１の外環部１１ｏが完全にその内部に収まり、かつ台紙シート１１の外環部１１ｏの周辺の残余とされる領域空間Ｃ１が極力少なく抑えられる大きさのシート状板材Ｓが選択され、該板材Ｓの一方の面Ｓ１である糊面Ｓ２（図６参照）が、例えば上面とされて、該シート状板材Ｓにおける台紙シート１１と張合わせシート１２のガスケット部片１２ａないし１２ｆの形抜き領分の割り振りが図示のようになされる。
【００２５】
すなわち、まず、台紙シート１１であるガスケット１の完成品形状の環状帯状体のための形抜き領分Ａの設定が行われる。そして、この環状帯状体の形抜き領分Ａの設定後に、該形抜き領分Ａ設定領域から外れた残余とされる領域空間Ｃ、つまり、形抜きされる環状帯状体の外環部１１ｏ外側の残余領域空間Ｃ１と、内環部１１ｉ内側の比較的大きな残余領域空間Ｃ２に、張合わせシート１２の複数ガスケット部片１２ａないし１２ｆのための形抜き領分Ｂが設定される。
【００２６】
複数ガスケット部片１２ａないし１２ｆが互いに組合わされる張合わせシート１２の各ガスケット部片１２ａないし１２ｆはそれぞれ、既述のように、台紙シート１１であるガスケット１の完成品形状を、すなわち、図５に図示されるように環状帯状体であるガスケット形状を複数の仮設定区画とした各区画１１ａないし１１ｆ形状に対応する形状のガスケット部片であり、より正確には該仮設定区画１１ａないし１１ｆ形状の線対称形状、すなわち、該各設定区画１１ａないし１１ｆの形状がそれぞれ裏返しとされた形状とされるガスケット部片１２ａないし１２ｆである。
【００２７】
張合わせシート１２におけるこれらガスケット部片１２ａないし１２ｆは、上述したように台紙シート１１である環状帯状体ガスケット１の形抜き領分として設定された領域Ａ以外の残余空間Ｃにその形抜き領分Ｂが設定されるが、これらガスケット部片１２ａないし１２ｆはそれぞれその形状が異なることから、各ガスケット部片１２ａないし１２ｆの形状と残余空間Ｃの形状が勘案されてガスケット用基材であるシート状板材Ｓの有効利用、つまり該板材Ｓの歩留まりが考慮されてそれぞれの形抜き領分Ａ，Ｂが決められる。
【００２８】
ガスケット用基材であるシート状板材Ｓにおける台紙シート１１であるガスケット完成品形状、つまり環状帯状体の形抜きと、張合わせシート１２の各ガスケット部片１２ａないし１２ｆの形抜きのための領分Ａ，Ｂの設定がなされると、シート状板材Ｓ上のそれぞれの形抜き領分Ａ，Ｂ相当部に該領分Ａ，Ｂに対応した打抜型がセットされ、小型プレス等の打抜き機等を用いて前記台紙シート１１と張合わせシート１２の各ガスケット部片１２ａないし１２ｆは一体に形抜きされる。
【００２９】
ガスケット用基材であるシート状板材Ｓから形抜きされた台紙シート１１と、張合わせシート１２の各形抜き部片、すなわち、各ガスケット部片１２ａないし１２ｆは、前記台紙シート１１上の対応位置に張合わせシート１２の各ガスケット部片１２ａないし１２ｆが貼り合わされて、実質２層からなる一枚のガスケット１として形成される。
【００３０】
より具体的には、糊面Ｓ２が上面とされてセットされた環状帯状体であるガスケット完成品形状とされた台紙シート１１の仮設定区画１１ａないし１１ｆに、張合わせシート１２の各ガスケット部片１２ａないし１２ｆの対応部片が裏返しにされて糊面Ｓ２を対向させて貼り付けられ、この貼り付けにより台紙シート１１上で各ガスケット部片１２ａないし１２ｆが組合わせられて張合わせシート１２が該台紙シート１１上に形成され、これにより台紙シート１１と張合わせシート１２の２層からなる一枚のガスケット１が形成される。
【００３１】
上述の実施態様１においては、その説明において環状帯状体をなすガスケット１が例示とされたが、本実施態様１は、様々な形状のガスケット１に適用可能であり、また、ガスケット１の形抜き部片も本実施態様１においては６つの部片とされるが、部片の数はガスケット１の大きさや形状が考慮されて適宜選択されるものであることは言うまでもない。
【００３２】
本発明の変形例として以下のような態様が採用できる。
【００３３】
本発明の上述の実施態様１における張合わせシート１２は、ガスケット用基材であるシート状板材Ｓから形抜きした複数のガスケット部片１２ａないし１２ｆを裏返しにして台紙シート１１上の対応位置に貼り合わせながら組付け、該組付けにより張合わせシート１２を組合わせて、２層の貼り合わせからなるガスケット１を形成するものであるが、これに換えて、別の態様２として、ガスケット１の実際の取付け時に、先ず、糊面を上面として取付け位置にセットされた台紙シート１１上の対応位置に、張合わせシート１２の各ガスケット部片１２ａないし１２ｆが裏返しされて貼り付けられ、この貼り付けの進行と共に、張合わせシート１２を該台紙シート１１上に組合わせ、台紙シート１１と張合わせシート１２からなる実質２層の貼り合わせからなるガスケット１を前記取付け時に形成するようにすることができる。
【００３４】
また、別の態様３として、張合わせシート１２の台紙シート１１への貼り合わせに先立ち、複数ガスケット部片１２ａないし１２ｆをその配列構造に従い組合わせて、予め一枚の張合わせシート１２として形成し、この張合わせシート１２を裏返して台紙シート１１に貼り合わせることで２層からなるガスケット１を形成することができる。
【００３５】
さらに、別の態様４として、ガスケット１の実際の取付け時に、先ず取付け位置に台紙シート１１をセットし、該セットされた台紙シート１１上に、上述した予め組合わされ一枚の張合わせシート１２とされたシートを裏返して貼り合わせるようにして、２層からなるガスケット１を該ガスケット１の取付け時に形成するようにしてもよい。
【００３６】
また、本発明の実施態様１においては、同一のガスケット用基材であるシート状板材Ｓから台紙シート１１と張合わせシート１２の複数ガスケット部片１２ａないし１２ｆを形抜きし、台紙シート１１の形抜きは一つのガスケット完成品形状としてなされるが、この別の態様５においては、図７（図２に対応する断面として示された図）に図示されるように、通常のシート状板材の半分の厚みの２枚のシート状板材Ｓａ，Ｓｂを使用し、該シート状板材の内の一方、例えばＳａを用いて、台紙シート１１であるガスケット完成品形状を複数のガスケット部片１１Ａ，１１Ｂ・・・としてそれぞれ形抜きし、これら形抜きした各ガスケット部片１１Ａ，１１Ｂ・・・を互いに組合わせて一枚のシートからなるガスケット完成品形状の台紙シート１１を予め形成する。
【００３７】
一方、他方のシート状板材Ｓｂを用いて張合わせシート１２のガスケット部片、すなわち、前記台紙シート１１のガスケット完成品形状における前記複数ガスケット部片１１Ａ，１１Ｂ・・・の分割される分割線１１ｘとは異なる仮想分割線１１ｙをもつ仮設定区画１１ａ１，１１ｂ１に対応する形状とされた各ガスケット部片１２Ａ，１２Ｂ・・・を形抜きし、これらガスケット部片１２Ａ，１２Ｂ・・・を互いに組合わせて一枚のシートからなる張合わせシート１２として予め形成し、これら予め形成された台紙シート１１と張合わせシート１２とが互いにその糊面Ｓ２を対向させて貼り合わされて実質２層とされるガスケット１を形成するものである。
【００３８】
このガスケット１は互いに貼り合わされた２枚のシート、すなわち、台紙シート１１と張合わせシート１２の貼り合わせにおけるそれぞれのガスケット部片１１Ａ，１１Ｂ・・・と１２Ａ，１２Ｂ・・・の分割線１１ｘ，１２ｘの位置が互いにズレるようになされており（図７参照）、これにより、各ガスケット部片１１Ａ，１１Ｂ・・・と１２Ａ，１２Ｂ・・・の前記分割線１１ｘ，１２ｘ間の隙間によるシール性の低下は防止されている。
【００３９】
また、さらに別の態様６として、以下のガスケット１も考えられる。本発明の上述の実施態様１におけるガスケット１は、貼り合わされる２枚のシート、つまり台紙シート１１と張合わせシート１２が互いに同一のガスケット用基材であるシート状板材Ｓから形抜きされた同じ厚さのものとされているが、これらシート１１，１２の厚さは適宜選択可能であり、図８（図２に対応する断面として示された図）に図示される例示においては、台紙シート１１が厚めのシートとされ、張合わせシート１２は薄めのシートとされているが、勿論、両者シートの厚みを逆のものとすることは可能である。この２枚合わせのガスケット１の厚みは、通常のガスケットの厚み程度とされるのが普通であるが、適宜使用場所や使用状況等に応じて最適な厚さを選択する。
【００４０】
なお、図８（ａ）は、張合わせシート１２が複数のガスケット部片からなるシートとされたガスケット１に本態様が適用された例であるが、図８（ｂ）は、張合わせシート１２のみでなく台紙シート１１も複数のガスケット部片からなるものとされたガスケット１に本態様が適用された例である。
【００４１】
本発明の実施態様においては、上述した構造を備えることによりそれぞれ以下に述べるような作用効果を奏する。
【００４２】
本発明の実施態様１においては、ガスケット完成品形状である台紙シート１１の形抜きと、張合わせシート１２の複数ガスケット部片１２ａないし１２ｆの形抜きが同一のガスケット用基材であるシート状板材Ｓから形抜きされ、台紙シート１１の形抜き領分Ａの残余とされる領域Ｃにおいて、つまり、端材部分とされる部分が利用されて張合わせシート１２の複数ガスケット部片１２ａないし１２ｆの形抜きがなされるから、ガスケット用基材であるシート状板材Ｓの有効利用がなされ、該シート状板材Ｓの歩留まりを向上させることができる。
【００４３】
また、ガスケット用基材であるシート状板材Ｓの一方の面Ｓ１は糊面Ｓ２とされており、台紙シート１１であるガスケット完成品形状の複数仮設定区画１１ａないし１１ｆにそれぞれ対応する形状として形抜きされた張合わせシート１２の各ガスケット部片１２ａないし１２ｆは、前記完成品形状ガスケットの対応仮設定区画１１ａないし１１ｆに対してそれぞれ線対称である部片、つまり裏返し形状として前記シート状板材Ｓから形抜きされるから、両者シート１１，１２の糊面同士を対向させた貼り合わせが可能であり、該貼り合わせの作業性が良く、糊付けが不要であるから糊付けに伴う種々の影響を排除することができ、ガスケット１製造の作業性が改善され、製造作業コストの低減を図ることができる。
【００４４】
さらに、本発明の実施態様２においては、取り扱いにくい大きなガスケット１の取付けが容易になされる。つまり大きな積層シートの張り合わせ作業が行い易く、しかも確実になされるので高品質な大きなガスケット１の取付けが可能となる。
【００４５】
また、本発明の実施態様３においては、ガスケット１の量産効果が十分に生かされ製造効率が上昇し、結果的に２枚積層のガスケット１の製造コストを低減させることができる。
【００４６】
さらに、本発明の実施態様４においては、２枚積層のガスケット１の取付けにおける作業性を向上させることができる。
【００４７】
また、本発明の実施態様５においては、ガスケット用基材であるシート状板材Ｓとして２枚の薄手の板材Ｓａ，Ｓｂが使用され、ガスケット部片１１Ａ，１１Ｂ・・・、１２Ａ，１２Ｂ・・・の形抜型による形抜き作業の容易化が図られる。また、薄手のガスケット用基材であるシート状板材Ｓの２枚使用は、一枚のシート状板材Ｓの使用に比較してガスケット部片の形抜き領分Ａ，Ｂの設定自由度を増大し、さらに、ガスケット部片の形抜きにおける薄手の前記シート状板材Ｓの使用は、形抜き後の端材部分を量的な面（容積や重量面）で厚み分だけ減少させるから、これらの相乗的な効果としてガスケット部片の形抜きにおけるシート状板材Ｓの歩留まりの向上を可能とする。
【００４８】
また、さらに互いに貼り合わされる台紙シート１１のガスケット部片１１Ａ，１１Ｂ・・・の分割線１１ｘと、張合わせシート１２のガスケット部片１２Ａ，１２Ｂ・・・の分割線１２ｘは両者シート１１，１２の張合わせ状態において互いにその位置がズレるようになされているから、そのシール性が損なわれることはない。
【００４９】
さらにまた、本発明の実施態様６においては、適宜使用場所や使用状況に応じて最適な厚みのガスケット１の提供が容易化される。
【図面の簡単な説明】
【００５０】
【図１】本発明の実施態様において例示されるガスケットの平面視形状の全体図が示される図である。
【図２】本発明の図１におけるガスケットのＩＩ−ＩＩ線断面図である。
【図３】本発明のガスケットの台紙シートを示す図であり、（ａ）は平面図、（ｂ）はＩＩＩ−ＩＩＩ線断面図である。
【図４】本発明のガスケットの張合わせシートを示す図であり、（ａ）は形抜きされたガスケット部片を示す図であり、（ｂ）は組合わされた張合わせシートの平面図、（ｃ）はＩＶ−ＩＶ断面図である。
【図５】本発明の図１における各ガスケット部片のガスケット用基材であるシート状板材からの形抜きの状況を示す図である。
【図６】本発明のガスケット用基材であるシート状板材を示す断面図であり、図５のＶＩ−ＶＩ線断面図である。
【図７】本発明のガスケットの別の実施態様を示す図であり、図２に対応する図である。
【図８】本発明のガスケットのさらに別の実施態様を示す図であり、（ａ）は張合わせシートが複数のガスケット部片からなるシートとされたガスケットに本実施態様が適用された図であり、（ｂ）は台紙シートと張合わせシートの双方が複数のガスケット部片からなるシートとされたガスケットに本実施態様が適用された図である。
【符号の説明】
【００５１】
１・・・ガスケット、１１・・・台紙シート、１１ａないし１１ｆ・・・仮設定区画、１２・・・張合わせシート、１２ａないし１２ｆ・・・ガスケット部片、Ａ・・・台紙シートの形抜き領分、Ｂ・・・張合わせシートのガスケット部片形抜き領分、Ｃ・・・残余空間領域、Ｓ，Ｓａ，Ｓｂ・・・ガスケット用基材であるシート状板材、Ｓ１・・・シートの一方の面、Ｓ２・・・糊面。
【図１】
2006161986.tif 000003
【図２】
2006161986.tif 000004
【図３】
2006161986.tif 000005
【図４】
2006161986.tif 000006
【図５】
2006161986.tif 000007
【図６】
2006161986.tif 000008
【図７】
2006161986.tif 000009
【図８】
2006161986.tif 000010